(57)【要約】【課題】少ない素子数で、群速度分散を所望の波長帯域において連続的に補償することができる分散補償器およびそれを用いた波長掃引光源を提供すること。【解決手段】偏光制御器２０１は、サーキュレータ２０２から出射された偏光が紙面内の光軸と垂直の軸上にあり、偏光ビームスプリッタ２０３をそのまま透過するように制御する。偏光ビームスプリッタ２０３を透過する光の光軸上に１／４波長板２０４を配置し、１／４波長板２０４のＦａｓｔ軸と偏光の偏向軸とが４５度をなすように配置する。第１のＣＦＢＧ２０５−１での反射は、共振器の分散と逆の分散を入射した光に与えることができる。第１のＣＦＢＧ２０５−１からの反射光は、再び１／４波長板２０４を通過して偏光軸が入射光の偏光軸から９０度回転した直線偏光に変換され、偏光ビームスプリッタ２０３で反射されて第２のＣＦＢＧ２０５−２に入射する。【選択図】図３
2019046973.tif 000002
【特許請求の範囲】
【請求項１】
入力された光から所定の偏光軸を有する偏光を出力する偏波制御部と、
前記偏波制御部から出力された偏光が入力される光サーキュレータと、
互いに垂直な２軸の偏光の一方を透過し、他方を９０度に反射し、前記光サーキュレータから出力された偏光を透過するように配置された偏光ビームスプリッタと、
前記偏光ビームスプリッタを透過した偏光が入力され、前記光サーキュレータから出力された偏光とｆａｓｔ軸が４５度をなすように配置された１／４波長板と、
前記１／４波長板を透過した円偏光が入力される第１のＣＦＢＧと、
前記第１のＣＦＢＧからの反射光が前記１／４波長板を透過して前記偏光ビームスプリッタに入力され、前記偏光ビームスプリッタで９０度に反射された偏光が入力される第２のＣＦＢＧと、
を備えたことを特徴する分散補償器。
【請求項２】
前記第２のＣＦＢＧと前記偏光ビームスプリッタとの間に、前記光サーキュレータから出力された偏光とｆａｓｔ軸が４５度をなすように配置された第２の１／４波長板と、
前記第２のＣＦＢＧからの反射光が前記第２の１／４波長板を透過して前記偏光ビームスプリッタに入力され、前記偏光ビームスプリッタを透過した偏光が入力される第３のＣＦＢＧと、
をさらに備えたことを特徴とする請求項１記載の分散補償器。
【請求項３】
光サーキュレータと、
前記光サーキュレータから出力された光の互いに垂直な２軸の偏光の一方を透過し、他方を９０度に反射するように配置された偏光ビームスプリッタと、
前記偏光ビームスプリッタを透過した偏光が入力され、前記光サーキュレータから出力された偏光とｆａｓｔ軸が４５度をなすように配置された第１の１／４波長板と、
前記第１の１／４波長板を透過した円偏光が入力される第１のＣＦＢＧと、
前記第１のＣＦＢＧからの反射光が前記第１の１／４波長板を透過して前記偏光ビームスプリッタに入力され、前記偏光ビームスプリッタで９０度に反射された偏光が入力され、前記光サーキュレータから出力された偏光とｆａｓｔ軸が４５度をなすように配置された第２の１／４波長板と、
前記第２の１／４波長板を透過した円偏光が入力される第２のＣＦＢＧと、
前記第２のＣＦＢＧからの反射光が前記第２の１／４波長板を透過して前記偏光ビームスプリッタに入力され、前記偏光ビームスプリッタを透過した偏光が入力され、前記光サーキュレータから出力された偏光とｆａｓｔ軸が４５度をなすように配置された第３の１／４波長板と、
前記第３の１／４波長板を透過した円偏光が入力される第３のＣＦＢＧと、
を備えたことを特徴する分散補償器。
【請求項４】
所定の波長帯域を含む広帯域光を発生する光増幅部、
前記広帯域光から所定の波長帯域の光を所定の掃引周波数で選択的に透過する波長選択部、
前記波長選択部を透過した光が入力される請求項１乃至３のいずれかに記載の分散補償器、および
前記分散補償器から出力された光を所定の遅延量を与えて前記光増幅部に入力する光遅延部
を含む共振器と、
前記共振器内を伝搬する光の一部を取り出す光取り出し部と、
を備えたことを特徴とする波長掃引光源。
【発明の詳細な説明】
【技術分野】
【０００１】
本発明は、分散補償器およびそれを用いた波長掃引光源に関し、より詳細には光干渉断層計（Ｏｐｔｉｃａｌ  ｃｏｈｅｒｅｎｃｅ  ｔｏｍｏｇｒａｐｈｙ：ＯＣＴ）応用の光源に用いることができる分散補償器およびそれを用いた波長掃引光源に関する。
【背景技術】
【０００２】
ＯＣＴの一方式に、波長が連続的にある一定範囲に渡って掃引され、かつ掃引が周期的に繰り返される波長掃引光源を用いたスウェプトソースＯＣＴ（ＳＳ−ＯＣＴ）がある。ＳＳ−ＯＣＴは、フーリエドメインＯＣＴ（ＦＤ−ＯＣＴ）の一種で、従来のＦＤ−ＯＣＴで必要な分光器を用いることなく、高感度なＯＣＴ信号が得られることで知られる。
【０００３】
ＳＳ−ＯＣＴでは、分光器で必要となるアレイディテクタの代わりに、一般的な光検出器や差分検出器でＯＣＴ信号である干渉波形を取得できるため、アレイディテクタの速度でＦＤ−ＯＣＴの速度性能が制限される１ｍ帯や１．３ｍ帯のＯＣＴで主に用いられる。
【０００４】
波長掃引光源を用いるＳＳ−ＯＣＴで重要となるのが、深さ方向の計測深度に関わる波長掃引光源の瞬時のレーザー線幅である。ＯＣＴ信号が６ｄＢ減衰する距離はコヒーレンス長（光速をレーザー線幅で割った値）で決まる。一般的にレーザーが発振し、線幅が狭窄化するまでには一定の時間を要するため、発振波長が常に変化する波長掃引光源ではレーザー線幅は掃引速度とトレードオフの関係にあることが知られている（非特許文献１参照）。つまり速い波長掃引光源ではレーザー線幅が広くなる。
【０００５】
そのため、このトレードオフの関係を改善する技術としてフーリエドメインモードロック（ＦＤＭＬ）が提案されている。ＦＤＭＬでは掃引帯域内の全波長のレーザー光が共振器の光路内に常に蓄積されており、レーザー発振を自然放出光により一から立ち上げる必要が無いためレーザーの立ち上がり時間が短く、速い波長掃引でもレーザー線幅を狭くすることが可能である（非特許文献２参照）。
【０００６】
図１に、従来のＦＤＭＬを用いた波長掃引光源１００の基本構成を示す。波長掃引光源１００はリング型の共振器を備え、波長選択部１０１、分散補償部１０２、光取り出し部１０３、光遅延部１０４、光増幅部１０５とそれら構成要素を光学的に接続する光接続部１０６からなる。光増幅部１０５には、ＳＯＡ、ファイバ増幅器、個体増幅器、色素増幅器等を用いることができる。
【０００７】
光増幅部１０５で発生した広帯域光は、波長選択部１０１において所定の狭いスペクトル領域のみが選択的に取り出される。選択的に取り出された光は、分散補償部１０２、光取り出し部１０３、光遅延部１０４をそれぞれ経由し、再び光増幅部１０５で増幅され、波長選択部１０１に入射する。
【０００８】
波長選択部１０１における選択波長は逐次変化しており、掃引周波数がｆsweepであるとすると、共振器内を周回する光が無損失で波長選択部１０１を再び通過するためには、共振器を一周するのに要する時間ｔroundがこの掃引周波数ｆsweepの逆数の整数倍である必要がある。波長掃引の周期１／ｆsweepと共振器内を周回する時間ｔroundが一致している場合、波長選択部１０１で選択された所定の波長の光が共振器を一周して再び波長選択部１０１に戻ってくると、波長選択部１０１が同じ所定の波長を選択していることになる。そのため、光は無損失で波長選択部１０１を再び通過することができ、これを繰り返すことで共振器内を周回し続けることができる。
【０００９】
例えば、掃引周波数が２００ｋＨｚのとき、共振器の周回時間ｔroundは５μｓとなり、共振器の光路長Ｌcavは１５００ｍとなる。共振器が光ファイバで構成され、その光ファイバの屈折率がおおよそ１．４６とすると、共振器の物理長は１０２７ｍとなる。
【００１０】
このようなことから、掃引帯域内のすべての波長で光を共振器に無損失に蓄積するためには、周回時間が等しくなるように共振器長が各波長に対して不変である必要がある。しかし、ＦＤＭＬは数ｋｍの共振器長を有しており、上述のように通常光ファイバなどの導波路により構成される。そのため光ファイバの屈折率分散により共振器長の波長依存性が生じる。そのため光ファイバの屈折率分散により共振器長の波長依存性が生じる。
【００１１】
波長掃引光源の中心波長が１０５０ｎｍの場合、分散を現すＤパラメータから計算される共振器を一周したときに生じる群遅延量は、図２に示すように、中心波長を基準として１０００ｎｍと１１００ｎｍではそれぞれ２０００ｐｓと−１６００ｐｓ程度となる。マイナスの符号は速く到達することを表している。図２の分散曲線を以下の２次関数を用いて近似を行い、１次と２次の分散係数Ｄ2、Ｄ3を求めると、
【００１２】
【数１】
2019046973.tif 000003
【００１３】
Ｄ2は−３８．６８ｐｓ／ｎｍ、Ｄ3は＋０．１０６ｐｓ／ｎｍ2となる。この１次の分散レートＤ2の値は波長が１ｎｍ異なるごとに共振器長に約１１．６ｍｍの光学的な光路長差が生じることを示している。波長選択部１０１では透過帯域が時間的に変化するため、各波長におけるゲート時間は以下の式で表される（非特許文献２参照）。
【００１４】
【数２】
2019046973.tif 000004
【００１５】
Δλfilterは透過帯域の３ｄＢ帯域幅、Δλrangeは掃引帯域幅である。透過帯域幅を０．３ｎｍとし、掃引帯域幅を１００ｎｍとすると、τgateは４．８ｎｓである。掃引帯域の中心波長である１０５０ｎｍを群遅延０の基準とすると、波長λの光は以下の関係を満たす回数Ｎしか共振器を周回することができない。
【００１６】
【数３】
2019046973.tif 000005
【００１７】
左辺がゲート時間以上となったとき、その波長の光が波長選択部に到達したときの透過帯波長は他波長にあることとなり、光は遮断される。例えば、１０００ｎｍではＮ＝２．５と求められ光は共振器を２回のみしか周回できない。レーザー線幅は共振器周回数に反比例して減少するため、分散が存在する共振器ではＦＤＭＬのレーザー線幅の狭窄化は制限される。これにより、掃引帯域の両端の波長では、レーザー光を共振器内に効率よく蓄積できないため、線幅の増大や発振帯域の制限を受ける。そのため、図１にある分散補償部１０２で分散補償を行うことによって群遅延補償を行う必要がある。
【先行技術文献】
【非特許文献】
【００１８】
【非特許文献１】R. Huber, M. Wojtkowski, K. Taira, J. G. Fujimoto, and K. Hsu, "Amplified, frequency swept lasers for frequency domain reflectometry and OCT imaging: design and scaling principles," Opt. Express 13, 3513-3528 (2005)
【非特許文献２】R. Huber, M. Wojtkowski, and J. G. Fujimoto, "Fourier Domain Mode Locking (FDML): A new laser operating regime and applications for optical coherence tomography," Opt. Express 14, 3225-3237 (2006)
【発明の概要】
【発明が解決しようとする課題】
【００１９】
しかし、分散補償を行うことにより波長ごとの共振器長を揃えることで波長掃引光源の性能向上を行うことはできるが、低コスト化や連続的な分散補償が難しいという課題があった。
【００２０】
本発明は、このような課題に鑑みてなされたもので、その目的とするところは、少ない素子数で、群速度分散を所望の波長帯域において連続的に補償することができる分散補償器およびそれを用いた波長掃引光源を提供することにある。
【課題を解決するための手段】
【００２１】
上記の課題を解決するために、本発明は、分散補償器であって、入力された光から所定の偏光軸を有する偏光を出力する偏波制御部と、前記偏波制御部から出力された偏光が入力される光サーキュレータと、互いに垂直な２軸の偏光の一方を透過し、他方を９０度に反射し、前記光サーキュレータから出力された偏光を透過するように配置された偏光ビームスプリッタと、前記偏光ビームスプリッタを透過した偏光が入力され、前記光サーキュレータから出力された偏光とｆａｓｔ軸が４５度をなすように配置された１／４波長板と、前記１／４波長板を透過した円偏光が入力される第１のＣＦＢＧと、前記第１のＣＦＢＧからの反射光が前記１／４波長板を透過して前記偏光ビームスプリッタに入力され、前記偏光ビームスプリッタで９０度に反射された偏光が入力される第２のＣＦＢＧと、を備えたことを特徴する。
【００２２】
請求項２に記載の発明は、請求項１記載の分散補償器において、前記第２のＣＦＢＧと前記偏光ビームスプリッタとの間に、前記光サーキュレータから出力された偏光とｆａｓｔ軸が４５度をなすように配置された第２の１／４波長板と、前記第２のＣＦＢＧからの反射光が前記第２の１／４波長板を透過して前記偏光ビームスプリッタに入力され、前記偏光ビームスプリッタを透過した偏光が入力される第３のＣＦＢＧと、をさらに備えたことを特徴とする。
【００２３】
請求項３に記載の発明は、分散補償器であって、光サーキュレータと、前記光サーキュレータから出力された光の互いに垂直な２軸の偏光の一方を透過し、他方を９０度に反射するように配置された偏光ビームスプリッタと、前記偏光ビームスプリッタを透過した偏光が入力され、前記光サーキュレータから出力された偏光とｆａｓｔ軸が４５度をなすように配置された第１の１／４波長板と、前記第１の１／４波長板を透過した円偏光が入力される第１のＣＦＢＧと、前記第１のＣＦＢＧからの反射光が前記第１の１／４波長板を透過して前記偏光ビームスプリッタに入力され、前記偏光ビームスプリッタで９０度に反射された偏光が入力され、前記光サーキュレータから出力された偏光とｆａｓｔ軸が４５度をなすように配置された第２の１／４波長板と、前記第２の１／４波長板を透過した円偏光が入力される第２のＣＦＢＧと、前記第２のＣＦＢＧからの反射光が前記第２の１／４波長板を透過して前記偏光ビームスプリッタに入力され、前記偏光ビームスプリッタを透過した偏光が入力され、前記光サーキュレータから出力された偏光とｆａｓｔ軸が４５度をなすように配置された第３の１／４波長板と、前記第３の１／４波長板を透過した円偏光が入力される第３のＣＦＢＧと、を備えたことを特徴する。
【００２４】
請求項４に記載の発明は、波長掃引光源であって、所定の波長帯域を含む広帯域光を発生する光増幅部、前記広帯域光から所定の波長帯域の光を所定の掃引周波数で選択的に透過する波長選択部、前記波長選択部を透過した光が入力される請求項１乃至３のいずれかに記載の分散補償器、および前記分散補償器から出力された光を所定の遅延量を与えて前記光増幅部に入力する光遅延部を含む共振器と、前記共振器内を伝搬する光の一部を取り出す光取り出し部と、を備えたことを特徴とする。
【発明の効果】
【００２５】
本発明は、偏光回転を利用したマルチパス構成を採用することにより、少ない素子数で所望の分散補償効果を得ることができる。また、中心波長が異なるＣＦＢＧをカスケード接続するような構成に比べ、群速度分散を所望の波長帯域において連続的に補償することが容易に可能になる。これにより全波長帯域の光がＦＤＭＬの共振器内を周回する回数を増大させることができ、瞬時にレーザー線幅を狭窄化することができる。
【図面の簡単な説明】
【００２６】
【図１】従来のＦＤＭＬを用いた波長掃引光源１００の基本構成を示す図である。
【図２】中心波長が１０５０ｎｍの場合の分散を現すＤパラメータから計算される共振器を一周したときに生じる波長毎の群遅延量を示す図である。
【図３】本発明の実施形態１に係るチャープファイバブラッググレーティング（ＣＦＢＧ）を用いたマルチパス分散補償部の構成を示す図である。
【図４】本発明の実施形態２に係るＣＦＢＧを用いたマルチパス分散補償部の構成を示す図である。
【図５】本発明の実施形態３に係るＣＦＢＧを用いたマルチパス分散補償部の構成を示す図である。
【発明を実施するための形態】
【００２７】
以下、本発明の実施の形態について、詳細に説明する。
【００２８】
（実施形態１）
図３に、本発明の一実施形態に係るチャープファイバブラッググレーティング（ＣＦＢＧ）を用いたマルチパス分散補償部の構成を示す。本発明の分散補償部は、図１に示すような波長掃引光源１００の分散補償部１０２として用いることができる。
【００２９】
上記の分散レートの群遅延を広い波長帯域にわたって１つのＣＦＢＧで補償するには長さが必要になるが、そのような分散補償を可能にする長さのＣＦＢＧを作製することは難しい。そのため本発明では、広い波長帯域を有するが分散量が小さい複数のＣＦＢＧを用いる。例えば３つのＣＦＢＧを用いることで、それぞれのＣＦＢＧが補償する分散量が全分散量の１／３になり、各ＣＦＢＧの必要な長さを抑えることができる。加えて、図３に示す実施形態１の構成では、２つのＣＦＢＧ２０５−１、２０５−２で３パスを実現することができ、素子数も抑えることができる。
【００３０】
偏光制御器２０１により光を直線偏光に変換し、偏光をサーキュレータ２０２に入射する。入射された偏光は、光サーキュレータ２０２に接続された光ファイバの端面からレンズ２０６−１に出力されてコリメートされる。偏光制御器２０１は、光サーキュレータ２０２から出射された偏光の偏向軸が紙面内の光軸と垂直の軸上にあり、偏光ビームスプリッタ２０３をそのまま透過するように制御する。
【００３１】
偏光ビームスプリッタ２０３を透過する光の光軸上に１／４波長板２０４を配置し、１／４波長板２０４のＦａｓｔ軸と偏光の偏向軸とが４５度をなすように配置する。これにより、１／４波長板２０４を通過した偏光が円偏光になるようにする。１／４波長板２０４から出射された円偏光は、レンズ２０６−２によって集光されて第１のＣＦＢＧ２０５−１に入射される。
【００３２】
第１のＣＦＢＧ２０５−１での反射は、ＣＦＢＧのグレーティング周期を入射端から徐々に長くすることで長波長ほど深部で反射させることができ、共振器の分散とは逆の分散を入射した光に与えることができる。またＣＦＢＧ内部における複屈折は十分に小さく、長さも数１０ｃｍであるため偏光状態に影響しないと考えられ、反射光の偏光状態は円偏光のままである。後述する第２のＣＦＢＧ２０５−２での反射も同様である。
【００３３】
第１のＣＦＢＧ２０５−１からの反射光は、レンズ２０６−２を介して再び１／４波長板２０４を通過し、偏光軸が入射光の偏光軸から９０度回転した直線偏光に変換される。これにより復路では偏光ビームスプリッタ２０３で反射され、レンズ２０６−３を介して第２のＣＦＢＧ２０５−２に入射する。第２のＣＦＢＧ２０５−２で反射された光は、偏光状態が保存されているため、偏光ビームスプリッタ２０３により再び第１のＣＦＢＧ２０５−１方向に反射される。
【００３４】
偏光ビームスプリッタ２０３により反射された偏光は、１／４波長板２０４で円偏光に変換され、レンズ２０６−２を介して再び第１のＣＦＢＧ２０５−１に入射される。第１のＣＦＢＧ２０５−１で反射された円偏光は、再度１／４波長板２０４を通過することでさらに９０度回転した直線偏光となり、偏光ビームスプリッタ２０３を透過することになる。
【００３５】
つまり実施形態１では、光サーキュレータ２０２から入射された光は、第１のＣＦＢＧ２０５−１、第２のＣＦＢＧ２０５−２、第１のＣＦＢＧ２０５−１という順番でＣＦＢＧを通過した後、光サーキュレータ２０２により分散補償部１０２から出力される。この構成では２つのＣＦＢＧ２０５−１、２０５−２を計３回通過させることで３つのＣＦＢＧと同様の分散量を補償することを可能としている。
【００３６】
（実施形態２）
図４に、本発明の実施形態２に係るＣＦＢＧを用いたマルチパス分散補償部の構成を示す。この構成では、３つのＣＦＢＧ３０５−１〜３０５−３を用いて実施形態１と同様の原理により５つのＣＦＢＧを用いた場合と同様の分散補償量を実現することが可能である。
【００３７】
すなわち、まず偏波制御部３０１で光サーキュレータ３０２から出射された偏光が偏光ビームスプリッタ３０３を透過するように偏光を制御する。レンズ３０６−１でコリメートされて偏光ビームスプリッタ３０３を通過した直線偏光は、Ｆａｓｔ軸と偏光の偏向軸とが４５度をなすように配置された第１の１／４波長板３０４−１で円偏光に変換され、レンズ３０６−２で集光されて第１のＣＦＢＧ３０５−１に入射される。第１のＣＦＢＧ３０５−１で反射された円偏光は、第１の１／４波長板３０４−１で入射光の偏光軸から９０度回転した直線偏光に変換されて偏光ビームスプリッタ３０３に入射される。入射光の偏光軸から９０度回転した直線偏光は偏光ビームスプリッタ３０３で反射され、Ｆａｓｔ軸と偏光の偏向軸とが４５度をなすように配置された第２の１／４波長板３０４−２で円偏光に変換され、レンズ３０６−３で集光されて第２のＣＦＢＧ３０５−２に入射される。第２のＣＦＢＧ３０５−２で反射された円偏光は、第２の１／４波長板３０４−２で入射光の偏光軸から１８０度回転した直線偏光に変換されて偏光ビームスプリッタ３０３に入射される。入射光の偏光軸から１８０度回転した直線偏光は偏光ビームスプリッタ３０３を透過し、レンズ３０６−４で集光されて第３のＣＦＢＧ３０５−３に入射される。第３のＣＦＢＧ３０５−３で反射された偏光は偏光ビームスプリッタ３０３に入射され、偏光ビームスプリッタ３０３を透過して第２の１／４波長板３０４−２で円偏光に変換されて第２のＣＦＢＧ３０５−２に入射される。第２のＣＦＢＧ３０５−２で反射された円偏光は、第２の１／４波長板３０４−２で入射光の偏光軸から２７０度回転した直線偏光に変換されて偏光ビームスプリッタ３０３に入射され、偏光ビームスプリッタ３０３で反射されて第１の１／４波長板３０４−１を介して第１のＣＦＢＧ３０５−１に入射される。第１のＣＦＢＧ３０５−１で反射された円偏光は、第１の１／４波長板３０４−１で入射光の偏光軸から３６０度回転した直線偏光に変換されて偏光ビームスプリッタ３０３を透過して光サーキュレータ３０２に入射される。
【００３８】
このようにＣＦＢＧを通過する順番は第１のＣＦＢＧ３０５−１、第２のＣＦＢＧ３０５−２、第３のＣＦＢＧ３０５−３、第２のＣＦＢＧ３０５−２、第１のＣＦＢＧ３０５−１となる。
【００３９】
（実施形態３）
図５に、本発明の実施形態３に係るＣＦＢＧを用いたマルチパス分散補償部の構成を示す。この構成では、偏光無依存の分散補償部１０２の構成を表している。実施形態３では、実施形態１、２において配置されていた偏波制御器が無く、光サーキュレータ４０２には偏波制御されていない光が入射される。そのため、光サーキュレータ４０２から出力された光は、偏光ビームスプリッタ４０３により偏光を光軸に垂直で互いに垂直な２軸の偏光に分離され、紙面に平行な偏光成分は直進し、紙面に垂直な偏光成分は９０度で反射される。紙面に平行な軸をＰ軸、垂直な軸をＳ軸とすると、Ｐ偏光は、第１のＣＦＢＧ４０５−１、第２のＣＦＢＧ４０５−２、第３のＣＦＢＧ４０５−３という順番でＣＦＢＧを通過する。
【００４０】
すなわち、光サーキュレータ４０２から出射された光がレンズ４０６−１でコリメートされて偏光ビームスプリッタ４０３に入射されると、Ｐ偏光は偏光ビームスプリッタ４０３を透過する。Ｐ偏光はＦａｓｔ軸と偏光軸とが４５度をなすように配置された第１の１／４波長板４０４−１で円偏光に変換され、レンズ４０６−２で集光されて第１のＣＦＢＧ４０５−１に入射される。第１のＣＦＢＧ４０５−１で反射された円偏光は、第１の１／４波長板４０４−１で入射光の偏光軸から９０度回転したＳ偏光に変換されて偏光ビームスプリッタ４０３に入射される。Ｓ偏光は偏光ビームスプリッタ４０３で９０度に反射され、Ｆａｓｔ軸と偏光軸とが４５度をなすように配置された第２の１／４波長板４０４−２で円偏光に変換され、レンズ４０６−３で集光されて第２のＣＦＢＧ４０５−２に入射される。第２のＣＦＢＧ４０５−２で反射された円偏光は、第２の１／４波長板４０４−２でＳ偏光から９０度回転したＰ偏光に変換されて偏光ビームスプリッタ４０３に入射される。Ｐ偏光は偏光ビームスプリッタ４０３を透過し、波長板のＦａｓｔ軸と偏光軸とが４５度をなすように配置された第２の１／４波長板４０４−３で円偏光に変換され、レンズ４０６−４で集光されて第３のＣＦＢＧ４０５−３に入射される。第３のＣＦＢＧ４０５−３で反射された円偏光は、第３の１／４波長板４０４−３でＰ偏光から９０度回転したＳ偏光に変換されて偏光ビームスプリッタ４０３に入射されて９０度に反射され、光サーキュレータ４０２に入射される。
【００４１】
これに対し入射光のＳ偏光成分は、第３のＣＦＢＧ４０５−３、第２のＣＦＢＧ４０５−２、第１のＣＦＢＧ４０５−１という順番でＣＦＢＧを通過する。すなわち、まず偏光ビームスプリッタ４０３で９０度に反射されて第３のＣＦＢＧ４０５−３に入射され、その反射光がＰ偏光に変換されて偏光ビームスプリッタ４０３を透過し、第２のＣＦＢＧ４０５−２に入射される。第２のＣＦＢＧ４０５−２の反射光はＳ偏光に変換されて偏光ビームスプリッタ４０３で９０度に反射され、第１のＣＦＢＧ４０５−１に入射される。第１のＣＦＢＧ４０５−１の反射光はＰ偏光に変換されて偏光ビームスプリッタ４０３を通過し、光サーキュレータ４０２に入射される。
【００４２】
尚、２つの偏光状態は互いに共通の経路を通過するため、偏光分散は無視することができる。
【００４３】
本構成では、偏光無依存の光サーキュレータ４０２とＣＦＢＧをそれぞれ３つ用いて、ＣＦＢＧを３回通過させた場合と同様の分散補償量であるが、偏波制御器を必要としないためコンパクトである。
【符号の説明】
【００４４】
１００  波長掃引光源
１０１  波長選択部
１０２  分散補償部
１０３  光取り出し部
１０４  遅延部
１０５  光増幅部
１０６  光接続部
２０１、３０１  偏光制御器
２０２、３０２、４０２  光サーキュレータ
２０３、３０３、４０３  偏光ビームスプリッタ
２０４、３０４、４０４  １／４波長板
２０５、３０５、４０５  ＣＦＢＧ
２０６、３０６、４０６  レンズ
【図１】
2019046973.tif 000006
【図２】
2019046973.tif 000007
【図３】
2019046973.tif 000008
【図４】
2019046973.tif 000009
【図５】
2019046973.tif 000010